(57)【要約】【課題】  スイング面の把握が容易で、スイング面を的確に修正することのできるゴルフフォーム矯正用具を提供する。【解決手段】  本発明のゴルフフォーム矯正用具１０は、両腕に装着されて両腕の間隔を制限する腕装着部１１と、前記腕装着部１１に一端が接続され、伸縮自在に構成された腕バンド部１５Ｒ，１５Ｌと、を具備することを特徴とする。腕バンド部１５Ｒ，１５Ｌはそれぞれ図示しない部位に固定され、スイング面の確認に効果を発揮する。【選択図】図１
2007050190.tif 000002
【特許請求の範囲】
【請求項１】
両腕に装着されて両腕の間隔を制限する腕装着部と、前記腕装着部に一端が接続され、伸縮自在に構成された腕バンド部と、を具備することを特徴とするゴルフフォーム矯正用具。
【請求項２】
一対の前記腕バンド部が前記腕装着部の両側部にそれぞれ接続されていることを特徴とする請求項１に記載のゴルフフォーム矯正用具。
【請求項３】
前記腕装着部と胴の間隔を制限する拘束バンド部をさらに具備することを特徴とする請求項１又は２に記載のゴルフフォーム矯正用具。
【請求項４】
胴に装着される胴装着部をさらに具備し、前記拘束バンド部は、前記腕装着部と前記胴装着部を連結していることを特徴とする請求項３に記載のゴルフフォーム矯正用具。
【請求項５】
前記腕装着部の前面には、腕の延長方向若しくはスイング方向に伸びるライン表示が設けられていることを特徴とする請求項１乃至４のいずれか一項に記載のゴルフフォーム矯正用具。
【請求項６】
背の上に配置される背配置部と、前記背配置部と前記腕装着部を両肩の上方を通過して連結する上側バンド部と、前記背配置部と前記腕装着部を両肩の下方を通過して連結する下側バンド部と、をさらに具備することを特徴とする請求項１乃至５のいずれか一項に記載のゴルフフォーム矯正用具。
【請求項７】
前記背配置部には、背筋に沿った方向若しくは水平方向に伸びるライン表示が設けられていることを特徴とする請求項６に記載のゴルフフォーム矯正用具。
【請求項８】
脚に装着される脚装着部と、前記脚装着部に一端が接続され、伸縮自在に構成された脚バンド部をさらに具備することを特徴とする請求項１乃至７のいずれか一項に記載のゴルフフォーム矯正用具。
【発明の詳細な説明】
【技術分野】
【０００１】
本発明はゴルフフォーム矯正用具に係り、特に、スイング時における両腕の回転面を意識するための矯正用具の構造に関する。
【背景技術】
【０００２】
一般に、ゴルフのフォームを矯正することはきわめて困難であり、初心者はもちろんのこと、ベテランやプロ選手であっても、インストラクターやコーチ等のアドバイスを受けながらフォーム修正を行う以外に有効な方法はない。そこで、従来から、特に上腕部を拘束することによってフォーム修正を行うように構成された各種のゴルフフォーム矯正用具が提案されている（例えば、以下の特許文献１及び２参照）。
【０００３】
ところが、上記の矯正用具においては、身体の各部（特に両腕）を相互に拘束するだけであるため、回転軸のぶれなどを矯正することができない。そこで、特に初心者のゴルフフォームを容易に矯正できるようにするためのゴルフフォーム矯正用具が本願発明者によって先に提案されている（例えば、以下の特許文献３参照）。この矯正用具では、背筋に沿って伸びる背面接続部によって体軸を意識することができるため、体軸のぶれを容易に矯正することができる。
【特許文献１】実開平４−１０８５７８号公報
【特許文献２】実開平６−５６６３号公報
【特許文献３】特許２６０３１９５号公報
【発明の開示】
【発明が解決しようとする課題】
【０００４】
しかしながら、前述の種々のゴルフフォーム矯正用具においては、いずれも腕部や脚部を拘束してフォーム矯正を行うに過ぎないため、スイング全体の姿勢を把握することができない。例えば、上記の特許文献３では背筋を意識させることはできるが、スイング時における両腕の回転面、すなわちスイング面の把握が困難であり、スイング面の傾きや波打ちなどを修正することが難しい。
【０００５】
そこで、本発明は上記問題点を解決するものであり、その課題は、スイング面の把握が容易で、スイング面を的確に修正することのできるゴルフフォーム矯正用具を提供することにある。
【課題を解決するための手段】
【０００６】
斯かる実情に鑑み、本発明のゴルフフォーム矯正用具は、両腕に装着されて両腕の間隔を制限する腕装着部と、前記腕装着部に一端が接続され、伸縮自在に構成された腕バンド部と、を具備することを特徴とする。
【０００７】
この発明によれば、腕装着部で両腕を拘束することにより基本姿勢を維持するとともに、腕装着部に接続された伸縮自在な（弾性素材からなる）腕バンド部を周囲の適宜の部位に固定することで、スイング時において腕バンド部が伸縮しながら両腕を所定方向に引っ張るように構成できるので、腕バンド部の固定位置に応じて、スイング面の傾き、スイングの波打ちなどを把握することができる。例えば、腕装着部から腕バンド部が理想的なスイング面に沿って伸びるように腕バンド部を固定すると、実際のスイング面が理想的なスイング面に対して傾斜していれば、腕バンド部の牽引方向が実際のスイング面と整合しないため、容易にスイング面の傾きを知ることができる。
【０００８】
本発明において、一対の前記腕バンド部が前記腕装着部の両側部にそれぞれ接続されていることが好ましい。これによれば、腕装着部の両側部に一対の腕バンド部が接続されていることにより、一対の腕バンド部を左右両側に伸ばし、その端部を左右側方で固定するようにすれば、バックスイング時においては左腕側の腕バンド部が引き伸ばされるためにバックスイング方向を確認することができるとともに、インパクト以降のスイング時においては右腕側の腕バンド部が引き伸ばされるためにインパクト以降の振り抜き方向を確認することができる。
【０００９】
本発明において、前記腕装着部と胴の間隔を制限する拘束バンド部をさらに具備することが好ましい。これによれば、腕装着部によって拘束された両腕と胴の間隔を拘束バンド部によって制限することができるため、両腕が胴から離れすぎることを防止することができる。したがって、身体と腕の距離を一定に保つことができるため、例えば、身体の正面でボールを打つことができるようになる。特に、拘束バンド部による拘束力を或る程度制限するために、拘束バンド部を伸縮自在な素材（弾性素材）で構成することが望ましい。
【００１０】
本発明において、胴に装着される胴装着部をさらに具備し、前記拘束バンド部は、前記腕装着部と前記胴装着部を連結していることが好ましい。胴装着部を設けて、この胴装着部と腕装着部とを拘束バンド部によって連結することにより、腕装着部を確実に胴に対して拘束することができる。
【００１１】
本発明において、前記腕装着部の前面には、腕の延長方向若しくはスイング方向に伸びるライン表示が設けられていることが好ましい。これによれば、腕の延長方向に伸びるライン表示であれば、両腕で構成される三角形をスイング時において維持するために自覚することができ、また、スイング方向に伸びるライン表示であれば、背骨中心に回転するときの円軌道を自覚することができる。
【００１２】
本発明において、背の上に配置される背配置部と、前記背配置部と前記腕装着部を両肩の上方を通過して連結する上側バンド部と、前記背配置部と前記腕装着部を両肩の下方を通過して連結する下側バンド部と、をさらに具備することが好ましい。これによれば、背配置部、上側バンド部及び下側バンド部を設けることで、腕装着部を胴に対して正確に位置決めしつつ、その位置決め状態を保持することができる。
【００１３】
本発明において、前記背配置部には、背筋に沿った方向若しくは水平方向に伸びるライン表示が設けられていることが好ましい。これによれば、背筋に沿った方向に伸びるライン表示であれば、背後から見ている人が回転軸のぶれを確認することができ、水平方向に伸びるライン表示であれば、背後から見ている人が回転時の腰の高さが水平になっているか否かを確認することができる。
【００１４】
本発明において、脚に装着される脚装着部と、前記脚装着部に一端が接続され、伸縮自在に構成された（弾性素材からなる）脚バンド部をさらに具備することが好ましい。これによれば、脚装着部を右膝に装着して脚バンド部を後方へ架設すれば、スイング時において右膝が前方に出ないように規制することができ、脚装着部を左膝に装着して脚バンド部を右側へ架設すれば、スイング時において左脚が外側に開かないように規制することができる。
【発明を実施するための最良の形態】
【００１５】
以下、本発明の実施の形態を図示例と共に説明する。図１は、本実施形態のゴルフフォーム矯正用具（以下、単に「矯正用具」という。）１０の概略斜視図、図２は矯正用具１０を装着した人の正面図、図３は矯正用具１０を装着した人の右側面図、図４は矯正用具１０を装着した人の背面図である。なお、図４では腕バンド部の図示が省略されている。
【００１６】
矯正用具１０は、図１に示すように、両腕に装着されて両腕の間隔を制限する腕装着部１１と、背上に配置される背配置部１２と、腕装着部１１と背配置部１２を接続する上側バンド部１３Ｒ，１３Ｌ及び下側バンド部１４Ｒ，１４Ｌと、腕装着部１１の両側部に接続された腕バンド部１５Ｒ，１５Ｌとを備えている。
【００１７】
腕装着部１１は、図２及び図３に示すように、両腕をそれぞれ挿通可能な筒状の腕保持部１１Ｒ，１１Ｌを有し、これらの腕保持部１１Ｒと１１Ｌが相互に一体に接続されたものである。なお、腕保持部１１Ｒと１１Ｌは図示例のように直接接続されていなくてもよく、例えば、図示しない連結具を介して相互に着脱可能に接続されていてもよい。腕保持部１１Ｒ，１１Ｌは、種々の腕の太さに対応できるように、或いは、腕への装着性を高めるために、伸縮可能な素材で構成されていることが好ましい。
【００１８】
腕装着部１１は、図３に示すように、例えば腰部に装着した腰装着部２１に対して拘束バンド部２２を介して連結することもできる。腰装着部２１は、腰部の周りにベルト状に装着される。腰装着部２１は背配置部１２に接続されることが好ましいが、単独で腰部に装着されるようにしてもよい。拘束バンド部２２は、腕装着部１１と胴との距離を一定にする機能を有し、スイング時に両腕が胴から離間しないように拘束する。拘束バンド部２２を伸縮自在なゴムのような弾性素材で構成することによって、両腕に或る程度の自由度を持たせることができる。拘束バンド部２２によって両腕と胴の距離を一定に規制することにより、身体の正面でボールをヒットするようにフォームを修正することができる。
【００１９】
本実施形態の矯正用具１０は、図２乃至図４に示すように、腕装着部１１に両腕を装着し、背配置部１２を背の上に配置し、上側バンド部１３Ｒ，１３Ｌが両肩の上方を通過するように、また、下側バンド部１４Ｒ，１４Ｌが両肩の下方（わきの下）を通過するようにして、着用される。
【００２０】
図１及び図２に示すように、腕装着部１１の前面には、左右の腕保持部１１Ｒ，１１Ｌに挿通された両腕の軸線方向に沿ったライン表示１１ｂ，１１ｂが設けられている。また、腕装着部１１の前面には、左右の腕保持部１１Ｒ，１１Ｌに装着された両腕の回転方向に沿ったライン表示１１ｃが設けられている。これらのライン表示１１ｂ，１１ｂ、１１ｃは、腕装着部１１の表面に貼着されたものであってもよく、腕装着部１１の印刷等によって表示されたものであってもよい。また、表示色は白色等の明度の高い色相や蛍光色などが好ましい。
【００２１】
背配置部１２は、図４に示すように、上部に開口１２ａが設けられ、この開口１２ａから背筋に沿って棒などを挿入できるようになっている。開口１２ａから背配置部１２内に棒を挿入すると、棒が背筋に当たるため、体軸を装着者本人が容易に感じることができることから、スイング時における体軸のぶれを容易に把握できるようになる。また、背配置部１２の表面には、背筋に沿って伸びるライン表示１２ｂ、及び、水平に伸びるライン表示１２ｃが設けられている。これらのライン表示１２ｂ、１２ｃは、上記ライン表示１１ｂ，１１ｂ，１１ｃと同様に構成することができる。
【００２２】
上側バンド部１３Ｒ，１３Ｌ及び下側バンド部１４Ｒ，１４Ｌは、公知の調整具１３ｘ、１４ｘなどによってそれぞれ長さ調整可能に構成されていることが好ましい。調整具１３ｘ、１４ｘで長さ調整をすることによって、矯正用具１０を上半身にぴったりと装着することができる。なお、上側バンド部１３Ｒ，１３Ｌには、調整具１３ｘ等を利用して、挟み付けパッド１６Ｒ，１６Ｌが連結バンド１７Ｒ，１７Ｌを介して着脱可能に連結されている。この挟み付けパッド１６Ｒ，１６Ｌは使用者の脇に挟みこんで使用するものであり、このパッドが脇から脱落しないように脇を締めてスイングすることによって、フォームの改善を図ることができる。
【００２３】
腕バンド部１５Ｒ、１５Ｌは、図２に示すように、腕装着部１１（具体的には左右の腕保持部１１Ｒ，１１Ｌの側部）に設けられた取付部１１ａ，１１ａに着脱可能に構成された連結構造を設けた基端部１５ａ，１５ａと、固定されたポール等の支持材１に着脱可能に構成された連結構造を設けた先端部１５ｂ，１５ｂとを有し、基端部１５ａと先端部１５ｂとの間は伸縮自在に構成され、例えば、ゴムバンド、ゴムベルトなどの弾性素材で構成されている。また、この腕バンド部１５Ｒ，１５Ｌにおいても、上記の上側バンド部及び下側バンド部と同様の調整具等を用いて長さ調整可能に構成されることが好ましい。
【００２４】
腕バンド部１５Ｒ，１５Ｌは、スイング時の両腕の理想的な回転面（スイング面）に近い方向に沿って架設されることが好ましい。図２及び図３に示すように、腕バンド部１５Ｒ，１５Ｌを左右の斜め後方に伸びるように架設すると、理想的なスイング面に沿った方向に近い方向に伸びた状態となる。
【００２５】
上記のように構成して装着者がスイングを行うと、バックスイング時においては腕バンド部１５Ｌが伸びるので、両腕が理想的なスイング面にほぼ沿った方向に前方から牽引されることになり、装着者が理想的なスイング面に沿ってバックスイングをしているか否かを知ることができる。また、実際にスイングを開始すると、腕バンド１５Ｌの牽引方向にスイングが自動的に調整されるため、理想的なスイング面が得られやすくなる。インパクト後には、今度は腕バンド部１５Ｒが伸びるので、両腕が理想的なスイング面にほぼ沿った方向に後方から牽引されることとなり、これによって振り抜き方向が理想的なスイング面に沿っているか否かを知ることができる。
【００２６】
上記のように、本実施形態では、装着者の身体内の拘束だけでなく、外部に固定された部材による拘束作用をも利用することにより、従来よりも正確で示唆に富んだフォーム修正を行うことができる。すなわち、腕バンド部１５Ｒ，１５Ｌを固定部位に連結することによって、固定部位に連結された腕バンド部１５Ｒ，１５Ｌからの感触（牽引力）により、自身のスイングがどのようになっているかをより客観的に感じとることができる。
【００２７】
図５及び図６は、装着者の脚部（例えば膝部分）に装着できる脚装着部１８Ｒ，１８Ｌと、この脚装着部１８Ｒ，１８Ｌに連結された脚バンド部１９Ｒ，１９Ｌの構造を示す。脚装着部１８Ｒ，１８Ｌは、脚部を挿通可能な筒状の脚保持構造を有する。この構造もまた、装着する脚部の太さ等のばらつきにある程度対応できるように、或いは、脚部に対する装着性を高めるために、上記腕保持部と同様に伸縮可能な素材（弾性素材）で構成されていることが好ましい。
【００２８】
脚バンド部１９Ｒ，１９Ｌは、上記の腕バンド部１５Ｒ，１５Ｌと同様に、脚装着部１８Ｒ，１８Ｌに対して着脱可能に連結される基端部１９ａと、上記の支持材１等に着脱可能に固定される先端部１９ｂとを備え、基端部１９ａと先端部１９ｂの間が伸縮自在に構成されている。したがって、この脚バンド部１９Ｒ，１９Ｌは上記腕バンド部１５Ｒ，１５Ｌと同様に構成できる。また、脚バンド部１９Ｒ，１９Ｌは、調整具等によって長さ調整可能に構成されていることが好ましい。なお、係合具１９ｃは腕バンド部を支持材等に固定する際に先端部１９ｂを係合させるものである。
【００２９】
上記の脚装着部１８Ｒ，１８Ｌ及び脚バンド部１９Ｒ，１９Ｌは、上記の矯正用具１０とともに、若しくは単独で、或いは、左右の組を共に若しくはいずれか一方のみで、用いることができる。例えば、装着者の左右の脚のうちの一方にのみ装着して用いることもでき、双方の脚部に装着して用いることもできる。いずれにしても、脚装着部１８Ｒ，１８Ｌに接続される脚バンド部１９Ｒ，１９Ｌを適宜の方向へ伸ばして固定することにより、脚部に対して、ある程度の自由度を確保しつつ、所定方向の拘束力を加えることができる。
【００３０】
この器具の使用方法としては、例えば、図５（脚バンド部１９Ｌを省略して示す。）に示すように、右脚に装着した脚装着部１８Ｒに連結した脚バンド部１９Ｒを装着者の左側に配置された図示しない支持材に連結し、図６（脚バンド部１９Ｒを省略して示す。）に示すように、左脚に装着した脚装着部１８Ｌに連結した脚バンド部１９Ｌを装着者の右側に配置された図示しない支持材に連結する。このとき、右脚に連結された脚バンド部１９Ｒは脚装着部１８Ｌの後方を通過するように架設し、左脚に連結された脚バンド部１９Ｌは脚装着部１８Ｒの前方を通過するように架設する。そして、このようにすることで、スイング時（特にインパクト後、或いは、フィニッシュ時）において、右膝が前方を通過する脚バンド部１９Ｌに規制されて前方へ出ないようにし、かつ、左脚が後方を通過する脚バンド部１９Ｒに規制されて外側へ（背面側へ）開かないようにすることができる。
【００３１】
図７は、上記の脚装着部１８Ｒ，１８Ｌ及び脚バンド部１９Ｒ，１９Ｌと同様の構成を有する腕装着部３１及び腕バンド部３２と、上記腰装着部２１と同様の構成を有する腰装着部３３と、この腰装着部３３と腕装着部３１とを連結する伸縮自在の（弾性素材からなる）連結バンド部３４とを有する矯正用具３０を示すものである。腕装着部３１は腕を挿通可能な筒状の腕保持構造を有し、伸縮自在な（弾性を有する）素材で構成されていることが好ましい。また、腕バンド部３２も伸縮自在な（弾性を有する）素材で構成されている。腕バンド部３２は腕装着部３１に対して着脱可能に構成された基端部を有することが好ましく、また、支持材等に固定可能な先端部を有することが好ましい。
【００３２】
この矯正用具３０は、図８及び図９に示すように、腕装着部３１を腕（肘）に装着し、腕バンド部３２の先端を支持材２などに固定し、腰装着部３３を腰部に装着することによって、ボール３の投球フォームの矯正をすることができるように構成されている。例えば、腕装着部３１又は３１′（図９には図７及び図８と異なるリング帯状の腕装着部３１′を示してある。）を肘に装着し、図９に示す支持材２とは反対側にボール３を投げると、肘を先行させる投球フォームに矯正することができる。また、腕装着部３１、３１′を手首に装着して上記と同様に投球することで、手首の強化を図ることができる。さらに、腕装着部３１、３１′を手首と肘の中間に装着して上記と同様に投球することで、肘の強化を図ることもできる。
【００３３】
さらに、上記矯正用具３０では、投球時において伸縮可能な連結バンド部３４が腰部と腕とを連結しているので、投球時において腰部と肩部のねじれを体感することができることから、腰のきれの良い投球フォームに修正することが可能になる。
【００３４】
尚、本発明の矯正用具は、上述の図示例にのみ限定されるものではなく、本発明の要旨を逸脱しない範囲内において種々変更を加え得ることは勿論である。例えば、上記の腕装着部や脚装着部はそれぞれ腕や脚を挿通させる筒状に構成されているが、図９に示す腕装着部３１′のようにリング状の帯体で構成されていても構わない。
【図面の簡単な説明】
【００３５】
【図１】実施形態の矯正用具を示す概略斜視図。
【図２】実施形態の矯正用具の装着状態を示す正面図。
【図３】実施形態の矯正用具の装着状態を示す右側面図。
【図４】実施形態の矯正用具の装着状態を示す背面図。
【図５】実施形態の矯正用具とともに用いることのできる脚部用具の概略斜視図。
【図６】実施形態の矯正用具とともに用いることのできる脚部用具の概略斜視図。
【図７】別の矯正用具を示す概略斜視図。
【図８】別の矯正用具の使用態様を示す概略斜視図。
【図９】別の矯正用具の使用態様を示す概略斜視図。
【符号の説明】
【００３６】
１０…矯正用具、１１…腕装着部、１１ｂ，１１ｃ，１２ｂ，１２ｃ…ライン表示、１２…背配置部、１３Ｒ，１３Ｌ…上側バンド部、１４Ｒ，１４Ｌ…下側バンド部、１５Ｒ，１５Ｌ…腕バンド部
【図１】
2007050190.tif 000003
【図２】
2007050190.tif 000004
【図３】
2007050190.tif 000005
【図４】
2007050190.tif 000006
【図５】
2007050190.tif 000007
【図６】
2007050190.tif 000008
【図７】
2007050190.tif 000009
【図８】
2007050190.tif 000010
【図９】
2007050190.tif 000011